(57)【要約】  本開示は、検索空間の傍受情報の決定方法及び装置を提供し、通信技術分野に係る。この検索空間の傍受情報の決定方法において、端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定することを含む。ここで、前記少なくとも２つの検索空間のうちの各検索空間の傍受情報の第１個数の合計は、傍受情報の総数以下であり、前記傍受情報は、物理下り制御チャネルＰＤＣＣＨ候補又はＰＤＣＣＨチャネル推定を含む。【選択図】図１
2021513281.tif 000002
【特許請求の範囲】
【請求項１】
検索空間の傍受情報の決定方法であって、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定することを含み、
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む、検索空間の傍受情報の決定方法。
【請求項２】
前記の前記少なくとも２つの検索空間のうちの各検索空間の傍受情報の第１個数を決定することは、
検索空間の優先度タイプ情報に基づいて、各検索空間の傍受情報の第１個数を決定すること、
前記傍受情報の第２個数に基づいて、各検索空間の傍受情報の第１個数を決定すること、
ここで、前記の第２個数は、少なくとも２つの検索空間のうちの各検索空間の傍受情報の第１個数の合計と前記端末によってサポートされる傍受情報の総数との差であり、
前記端末によってサポートされる傍受情報の総数に基づいて、各検索空間の傍受情報の第１個数を決定すること、
のうちの少なくとも１つを含む、請求項１に記載の検索空間の傍受情報の決定方法。
【請求項３】
前記の前記傍受情報の第２個数に基づいて、各検索空間の傍受情報の第１個数を決定することは、
所定設定パラメータに基づいて、各検索空間の割り当て重みを決定することと、
前記傍受情報の第２個数及び前記割り当て重みとに基づいて、各検索空間の傍受情報の第１個数を取得することとを含む、請求項２に記載の検索空間の傍受情報の決定方法。
【請求項４】
前記の前記端末によってサポートされる傍受情報の総数に基づいて、各検索空間の傍受情報の第１個数を決定することは、
所定設定パラメータに基づいて、各検索空間の割り当て重みを決定することと、
前記割り当て重みに基づいて、各検索空間の割り当て割合を決定することと、
前記割り当て割合及び前記端末によってサポートされる傍受情報の総数に基づいて、各検索空間の傍受情報の第１個数を決定することとを含む、請求項２に記載の検索空間の傍受情報の決定方法。
【請求項５】
前記所定設定パラメータは、
検索空間の傍受周期、傍受情報の初期個数、検索空間の優先度、下り制御情報のフォーマット、下り制御情報の長さ、及び検索空間タイプのうちの少なくとも１つを含む、請求項３又は４に記載の検索空間の傍受情報の決定方法。
【請求項６】
前記の所定設定パラメータに基づいて、各検索空間の割り当て重みを決定することは、
所定設定パラメータに基づいて、各検索空間の所定時間内の検索頻度を取得することと、
前記検索頻度に基づいて、各検索空間の割り当て重みを取得することとを含む、請求項３又は４に記載の検索空間の傍受情報の決定方法。
【請求項７】
前記所定設定パラメータが検索空間の傍受周期を含む場合、前記の各検索空間の所定時間内の検索頻度を取得することは、
2021513281.tif 000035
に基づいて、各検索空間の所定時間内の検索頻度を取得することを含み、
ここで、前記検索頻度に基づいて、各検索空間の割り当て重みを取得することは、
2021513281.tif 000036
に基づいて、各検索空間の割り当て重みを取得することを含み、
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Σは、和関数であり、ｉは、検索空間の番号である、請求項６に記載の検索空間の傍受情報の決定方法。
【請求項８】
前記所定設定パラメータが検索空間の傍受周期及び傍受情報の初期個数を含む場合、前記の各検索空間の所定時間内の検索頻度を取得することは、
2021513281.tif 000037
に基づいて、各検索空間の所定時間内の検索頻度を取得することを含み、
ここで、前記の前記検索頻度に基づいて、各検索空間の割り当て重みを取得することは、
2021513281.tif 000038
に基づいて、各検索空間の割り当て重みを取得することを含み、
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Ｂｉは、ｉ番目の検索空間の傍受情報の初期個数であり、Σは、和関数であり、ｉは、検索空間の番号である、請求項６に記載の検索空間の傍受情報の決定方法。
【請求項９】
前記所定設定パラメータが検索空間の優先度を含む場合、前記の所定設定パラメータに基づいて各検索空間の割り当て重みを決定することは、
2021513281.tif 000039
に基づいて、各検索空間の割り当て重みを取得することを含み、
ここで、Ｐｉは、ｉ番目の検索空間の割り当て重みであり、Ｌｉは、ｉ番目の検索空間の優先度であり、Σは、和関数であり、ｉは、検索空間の番号である、請求項３又は４に記載の検索空間の傍受情報の決定方法。
【請求項１０】
前記の前記端末によってサポートされる傍受情報の総数よりも大きい傍受情報の第２個数及び前記割り当て重みとに基づいて、各検索空間の傍受情報の第１個数を取得することは、
2021513281.tif 000040
に基づいて、各検索空間の傍受情報の第１個数を取得することを含み、
ここで、B´ｉは、ｉ番目の検索空間の傍受情報の第１個数であり、Ｂｉは、ｉ番目の検索空間の傍受情報の初期個数であり、Ｐｉは、ｉ番目の検索空間の割り当て重みであり、Ｍは、端末によってサポートされる傍受情報の総数であり、ΣｉＢｉ−Ｍは、前記端末によってサポートされる傍受情報の総数よりも大きい傍受情報の第２個数であり、Σは、和関数であり、Ｃは、第１閾値であり、ｉは、検索空間の番号である、請求項３に記載の検索空間の傍受情報の決定方法。
【請求項１１】
前記の前記傍受情報の第２個数及び前記割り当て重みとに基づいて、各検索空間の傍受情報の第１個数を取得することは、
第１検索空間の傍受情報の第３個数を取得することと、
前記第３個数が０よりも大きい場合、前記第３個数を前記第１検索空間以外の検索空間に割り当て、各検索空間の傍受情報の第１個数を取得することとを含み、
ここで、前記第１検索空間の傍受情報の初期個数は、前記傍受情報の第２個数と前記第１検索空間に対応する前記割り当て重みとの積よりも小さく、
前記第３個数は、
2021513281.tif 000041
から取得され、
ここで、Ｂｉは、ｉ番目の検索空間の傍受情報の初期個数であり、Ｐｉは、ｉ番目の検索空間の割り当て重みであり、Ｍは、端末によってサポートされる傍受情報の総数であり、Ｃは、第１閾値であり、ｉは、検索空間の番号である、請求項３に記載の検索空間の傍受情報の決定方法。
【請求項１２】
前記の前記割り当て重みに基づいて、各検索空間の割り当て割合を決定することは、
2021513281.tif 000042
に基づいて、各検索空間の割り当て割合を取得することを含み、
ここで、Ｕｉは、ｉ番目の検索空間の割り当て割合であり、Ｐｉは、ｉ番目の検索空間の割り当て重みであり、ｉは、検索空間の番号である、請求項４に記載の検索空間の傍受情報の決定方法。
【請求項１３】
前記の前記割り当て割合及び前記端末によってサポートされる傍受情報の総数に基づいて、各検索空間の傍受情報の第１個数を決定することは、
2021513281.tif 000043
に基づいて、各検索空間の傍受情報の第１個数を取得することを含み、
ここで、B´ｉは、ｉ番目の検索空間の第１個数であり、Ｕｉは、ｉ番目の検索空間の割り当て割合であり、Ｍは、端末によってサポートされる傍受情報の総数であり、Σは、和関数であり、ｉは、検索空間の番号である、請求項４に記載の検索空間の傍受情報の決定方法。
【請求項１４】
検索空間の傍受情報の決定装置であって、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定するための決定モジュールを含み、
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む、検索空間の傍受情報の決定装置。
【請求項１５】
前記決定モジュールは、
検索空間の優先度タイプ情報に基づいて、各検索空間の傍受情報の第１個数を決定するための第１決定サブモジュールと、
前記傍受情報の第２個数に基づいて、各検索空間の傍受情報の第１個数を決定するための第２決定サブモジュールと、
ここで、前記の第２個数は、少なくとも２つの検索空間のうちの各検索空間の傍受情報の第１個数の合計と前記端末によってサポートされる傍受情報の総数との差であり、
前記端末によってサポートされる傍受情報の総数に基づいて、各検索空間の傍受情報の第１個数を決定するための第３決定サブモジュールと、
のうちの少なくとも１つを含む、請求項１４に記載の検索空間の傍受情報の決定装置。
【請求項１６】
前記第２決定サブモジュールは、
所定設定パラメータに基づいて、各検索空間の割り当て重みを決定するための第１決定ユニットと、
前記傍受情報の第２個数及び前記割り当て重みとに基づいて、各検索空間の傍受情報の第１個数を取得するための第１取得ユニットとを含む、請求項１５に記載の検索空間の傍受情報の決定装置。
【請求項１７】
前記第３決定サブモジュールは、
所定設定パラメータに基づいて、各検索空間の割り当て重みを決定するための第２決定ユニットと、
前記割り当て重みに基づいて、各検索空間の割り当て割合を決定するための第３決定ユニットと、
前記割り当て割合及び前記端末によってサポートされる傍受情報の総数に基づいて、各検索空間の傍受情報の第１個数を決定するための第４決定ユニットとを含む、請求項１５に記載の検索空間の傍受情報の決定装置。
【請求項１８】
前記所定設定パラメータは、
検索空間の傍受周期、傍受情報の初期個数、検索空間の優先度、下り制御情報のフォーマット、下り制御情報の長さ、及び検索空間タイプのうちの少なくとも１つを含む、請求項１６又は１７に記載の検索空間の傍受情報の決定装置。
【請求項１９】
前記の所定設定パラメータに基づいて、各検索空間の割り当て重みを決定することは、
所定設定パラメータに基づいて、各検索空間の所定時間内の検索頻度を取得することと、
前記検索頻度に基づいて、各検索空間の割り当て重みを取得することとを含む、請求項１６又は１７に記載の検索空間の傍受情報の決定装置。
【請求項２０】
前記所定設定パラメータが検索空間の傍受周期を含む場合、前記の各検索空間の所定時間内の検索頻度を取得することは、
【数１０】
2021513281.tif 000044
に基づいて、各検索空間の所定時間内の検索頻度を取得することを含み、
ここで、前記検索頻度に基づいて、各検索空間の割り当て重みを取得することは、
2021513281.tif 000045
に基づいて、各検索空間の割り当て重みを取得することを含み、
ここで、Fｉは、ｉ番目の検索空間の所定時間内の検索頻度であり、Ｔｉは、ｉ番目の検索空間の傍受周期であり、Ｐｉは、ｉ番目の検索空間の割り当て重みであり、Σは、和関数であり、ｉは、検索空間の番号である、請求項１９に記載の検索空間の傍受情報の決定装置。
【請求項２１】
前記所定設定パラメータが検索空間の傍受周期及び傍受情報の初期個数を含む場合、前記の各検索空間の所定時間内の検索頻度を取得することは、
2021513281.tif 000046
に基づいて、各検索空間の所定時間内の検索頻度を取得することを含み、
ここで、前記の前記検索頻度に基づいて、各検索空間の割り当て重みを取得することは、
2021513281.tif 000047
に基づいて、各検索空間の割り当て重みを取得することを含み、
ここで、Fｉは、ｉ番目の検索空間の所定時間内の検索頻度であり、Ｔｉは、ｉ番目の検索空間の傍受周期であり、Ｐｉは、ｉ番目の検索空間の割り当て重みであり、Ｂｉは、ｉ番目の検索空間の傍受情報の初期個数であり、Σは、和関数であり、ｉは、検索空間の番号である、請求項１９に記載の検索空間の傍受情報の決定装置。
【請求項２２】
前記所定設定パラメータが検索空間の優先度を含む場合、前記の所定設定パラメータに基づいて各検索空間の割り当て重みを決定することは、
2021513281.tif 000048
に基づいて、各検索空間の割り当て重みを取得することを含み、
ここで、Ｐｉは、ｉ番目の検索空間の割り当て重みであり、Ｌｉは、ｉ番目の検索空間の優先度であり、Σは、和関数であり、ｉは、検索空間の番号である、請求項１６又は１７に記載の検索空間の傍受情報の決定装置。
【請求項２３】
前記第１取得ユニットは、
2021513281.tif 000049
に基づいて、各検索空間の傍受情報の第１個数を取得することに用いられ、
ここで、B´ｉは、ｉ番目の検索空間の傍受情報の第１個数であり、Bｉは、ｉ番目の検索空間の傍受情報の初期個数であり、Ｐｉは、ｉ番目の検索空間の割り当て重みであり、Ｍは、端末によってサポートされる傍受情報の総数であり、ΣｉＢｉ−Ｍは、前記端末によってサポートされる傍受情報の総数よりも大きい傍受情報の第２個数であり、Σは、和関数であり、Ｃは、第１閾値であり、ｉは、検索空間の番号である、請求項１６に記載の検索空間の傍受情報の決定装置。
【請求項２４】
前記第２決定サブモジュールは、
第１検索空間の傍受情報の第３個数を取得するための第２取得ユニットと、
前記第３個数が０よりも大きい場合、前記第３個数を前記第１検索空間以外の検索空間に割り当て、各検索空間の傍受情報の第１個数を取得するための割り当てユニットとを更に含み、
ここで、前記第１検索空間の傍受情報の初期個数は、前記傍受情報の第２個数と前記第１検索空間に対応する前記割り当て重みとの積よりも小さく、
前記第３個数は、
2021513281.tif 000050
から取得され、
ここで、Ｂｉは、ｉ番目の検索空間の傍受情報の初期個数であり、Ｐｉは、ｉ番目の検索空間の割り当て重みであり、Ｍは、端末によってサポートされる傍受情報の総数であり、Ｃは、第１閾値であり、ｉは、検索空間の番号である、請求項１６に記載の検索空間の傍受情報の決定装置。
【請求項２５】
前記第３決定ユニットは、
2021513281.tif 000051
に基づいて、各検索空間の割り当て割合を取得することに用いられ、
ここで、Ｕｉは、ｉ番目の検索空間の割り当て割合であり、Ｐｉは、ｉ番目の検索空間の割り当て重みであり、ｉは、検索空間の番号である、請求項１７に記載の検索空間の傍受情報の決定装置。
【請求項２６】
前記第４決定ユニットは、
2021513281.tif 000052
に基づいて、各検索空間の傍受情報の第１個数を取得することに用いられ、
ここで、B´ｉは、ｉ番目の検索空間の第１個数であり、Ｕｉは、ｉ番目の検索空間の割り当て割合であり、Ｍは、端末によってサポートされる傍受情報の総数であり、Σは、和関数であり、ｉは、検索空間の番号である、請求項１７に記載の検索空間の傍受情報の決定装置。
【請求項２７】
メモリと、プロセッサと、メモリに記憶され、プロセッサで動作可能なコンピュータプログラムを含む検索空間の傍受情報の決定装置であって、
前記コンピュータプログラムが前記プロセッサによって実行されると、請求項１〜１３のいずれか１項に記載の検索空間の傍受情報の決定方法が実現される、検索空間の傍受情報の決定装置。
【請求項２８】
コンピュータプログラムが記憶されているコンピュータ読み取り可能な記憶媒体であって、
前記コンピュータプログラムがプロセッサによって実行されると、請求項１〜１３のいずれか１項に記載の検索空間の傍受情報の決定方法が実現される、コンピュータ読み取り可能な記憶媒体。
【発明の詳細な説明】
【技術分野】
【０００１】
本願は、２０１８年２月１１日に中国特許庁に提出された中国特許出願２０１８１０１４２６４４．２の優先権を主張し、その全ての内容が援用によりここに取り込まれる。
本開示は、通信技術分野に係り、特に検索空間の傍受情報の決定方法及び装置に係る。
【背景技術】
【０００２】
ロングタームエボリューションＬＴＥ（Ｌｏｎｇ  Ｔｅｒｍ  Ｅｖｏｌｕｔｉｏｎ）システムでは、ユーザ機器ＵＥ（Ｕｓｅｒ  Ｅｑｕｉｐｍｅｎｔ、端末ともいう）は、１つの物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）チャネルのみを傍受する。このＰＤＣＣＨにおいて、ＵＥは、一定の検索空間内のＰＤＣＣＨ候補をブラインド検出し、且つＰＤＣＣＨ候補のブラインド検出総数は、定められている。
【０００３】
５Ｇ  ＮＲシステムでは、ＵＥに対し複数の制御リソースセットＣＯＲＥＳＥＴ（ｃｏｎｔｒｏｌ  ｒｅｓｏｕｒｃｅ  ｓｅｔ）及び複数の検索空間（Ｓｅａｒｃｈ  ｓｐａｃｅ）を設定し、検索空間ごとにブラインド検出数を柔軟に設定することをサポートし、ＣＯＲＥＳＥＴと検索空間との間は、柔軟に関連付けられる。一方、ＵＥの実現複雑さを低減するために、ＮＲシステムでは、単位時間内のＵＥの最大ブラインド検出数及び最大チャネル推定数を規定し、すなわち、すべての検索空間でのブラインド検出総数の合計及びチャネル推定の合計は、この上限を超えてはならない。
【０００４】
検索空間は、独立した傍受期間を有する。そのため、ＵＥがサポートする最大のブラインド検出数又はチャネル推定数に従って、すべての設定されたＣＯＲＥＳＥＴでブラインド検出数又はチャネル推定数を割り当てる場合、システムでは、ある時点において、ＵＥがサポートする最大のブラインド検出数又はチャネル推定数よりもはるかに小さいブラインド検出数又はチャネル推定数しか使用できないという結果になる可能性がある。ブラインド検出数を例にとると、ＵＥの最大のブラインド検出数が４４であり、２つの検索空間ＳＳ−１及びＳＳ−２が割り当てられているとする。ＳＳ−１の周期は、２スロットであり、ＳＳ−２の周期は、４スロットである。ＳＳ−１に割り当てられるブラインド検出総数が２４であり、ＳＳ−２のブラインド検出総数が２０である場合、ＵＥは、０、４、８、……番目のスロットにおいて、ＳＳ−１及びＳＳ−２を同時にブラインド検出し、且つブラインド検出総数は、サポートされる最大ブラインド検出数である４４を超えない。一方、２、６、１０、……番目のスロットでは、ＵＥは、ＳＳ−１のみをブラインド検出し、且つブラインド検出の総数は、２４しかない。
【発明の概要】
【発明が解決しようとする課題】
【０００５】
このような割り当て方式では、ＵＥの能力を十分に活用できず、システムの制御リソース利用率が大きく低下し、制御チャネル割当輻輳確率が高まることがわかる。
【０００６】
本開示の実施例は、関連技術のブラインド検出数又はチャネル推定数の割り当て方式では、端末の能力を十分に活用できず、システムの制御リソース利用率が大きく低下し、制御チャネル割当輻輳確率が高まるという問題を解決するために、検索空間の傍受情報の決定方法及び装置を提供する。
【課題を解決するための手段】
【０００７】
第１方面において、本開示の実施例は、検索空間の傍受情報の決定方法を提供する。
当該決定方法において、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定することを含み、
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む。
【０００８】
第２方面において、本開示の実施例は、検索空間の傍受情報の決定装置を提供する。
当該決定装置において、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定するための決定モジュールを含み、
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む。
【０００９】
第３方面において、本開示の実施例は、メモリと、プロセッサと、メモリに記憶され、プロセッサで動作可能なコンピュータプログラムを含む検索空間の傍受情報の決定装置を提供する。
当該決定装置において、
前記コンピュータプログラムが前記プロセッサによって実行されると、上記の検索空間の傍受情報の決定方法が実現される。
【００１０】
第４方面において、本開示の実施例は、コンピュータプログラムが記憶されているコンピュータ読み取り可能な記憶媒体を提供する。
当該記憶媒体において、
前記コンピュータプログラムがプロセッサによって実行されると、上記の検索空間の傍受情報の決定方法が実現される。
【発明の効果】
【００１１】
上記手段において、端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定し、少なくとも２つの検索空間のうちの各検索空間の傍受情報の第１個数の合計が傍受情報の総数以下になることを保証する。これにより、システムの制御リソース利用率を高め、制御チャネル割当輻輳確率を低下させ、ネットワーク通信の信頼性を保証する。
【図面の簡単な説明】
【００１２】
【図１】本開示の実施例に係る検索空間の傍受情報の決定方法のフローチャートである。
【図２】本開示の実施例に係る検索空間の傍受情報の決定装置のモジュール図である。
【図３】本開示の実施例に係る検索空間の傍受情報の決定装置の構造ブロック図その１である。
【図４】本開示の実施例に係る検索空間の傍受情報の決定装置の構造ブロック図その２である。
【発明を実施するための形態】
【００１３】
本開示の目的、技術手段及び利点をより明確にするために、以下、図面及び具体的な実施例を通じて本開示を詳細に記載する。
【００１４】
本開示は、関連技術のブラインド検出数又はチャネル推定数の割り当て方式では、端末の能力を十分に活用できず、システムの制御リソース利用率が大きく低下し、制御チャネル割当輻輳確率が高まるという問題に対し、検索空間の傍受情報の決定方法及び装置を提供する。
【００１５】
具体的には、図１に示す。図１は、本開示の実施例に係る検索空間の傍受情報の決定方法のフローチャートである。
前記検索空間の傍受情報の決定方法は、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定するステップ１０１を含む。
ここで、前記少なくとも２つの検索空間のうちの各検索空間の傍受情報の第１個数の合計は、傍受情報の総数以下である。
なお、この少なくとも２つの検索空間とは、端末が任意の単位時間に同時に傍受する検索空間を指す。
【００１６】
具体的には、この傍受情報の総数は、端末によってサポートされる傍受情報の最大個数である。ネットワークは、端末に１又は複数の検索空間を割り当て、各検索空間の傍受情報の初期個数を設定し、且つこの初期個数は、端末によってサポートされる傍受情報の最大個数を超えない。前記傍受情報は、物理下り制御チャネル（ＰＤＣＣＨ）候補又はＰＤＣＣＨチャネル推定を含む。具体的には、ＰＤＣＣＨ候補とは、ＰＤＣＣＨブラインド検出を指す。例えば、ネットワークは、端末に１つ又は複数の検索空間を割り当て、各検索空間の初期ブラインド検出数を、端末によってサポートされる最大ブラインド検出数未満に設定する。
【００１７】
すなわち、傍受情報の初期個数が初期ブラインド検出数である場合、傍受情報の総数は、最大ブラインド検出数である。傍受情報の初期個数が初期ＰＤＣＣＨチャネル推定数である場合、傍受情報の総数は、最大ＰＤＣＣＨチャネル推定数である。
【００１８】
なお、この検索空間の傍受情報の決定方法は、端末に応用してもよいし、基地局に応用してもよい。
【００１９】
具体的には、上記ステップ１０１を実現するために、本開示の実施例は、通常、以下の実施方式のうちの少なくとも１つを採用する。
【００２０】
方式１：検索空間の優先度タイプ情報に基づいて、各検索空間の傍受情報の第１個数を決定する。
なお、このような実現方式は、タイプに基づいて、傍受情報の第１個数の割り当てを優先的に行うことである。すなわち、一部のタイプの検索空間の傍受情報の個数を優先的に保証する。
【００２１】
検索空間には異なるタイプ（共通検索空間又は端末特定検索空間、Ｔｙｐｅ−０／１／２／３……）があるため、異なる下り制御情報（ＤＣＩ）フォーマット又はサイズ（ＤＣＩ０＿０、ＤＣＩ１＿０、ＤＣＩ２＿１、など）を検索し、上記情報に従って検索空間の優先度をソートする。異なる検索空間が重なる場合、高優先タイプの検索空間の傍受情報の個数を優先して保証し、低優先タイプの傍受情報の個数を減らして、サポートされる最大の傍受情報総数を超えないように確保する。
【００２２】
例えば、共通検索空間は、端末特定検索空間よりも優先度が高い。一部のＤＣＩフォーマット（たとえば、ＤＣＩ２＿０）は、他のＤＣＩフォーマット（たとえば、ＤＣＩ２＿２）よりも優先度が高い。
【００２３】
方式２：前記傍受情報の第２個数に基づいて、各検索空間の傍受情報の第１個数を決定する。前記第２個数は、少なくとも２つの検索空間のうちの各検索空間の傍受情報の第１個数の合計と前記端末によってサポートされる傍受情報の総数との差である。
なお、この第２個数とは、傍受情報の超過個数のことである。この実現方式は、重みに基づいて、傍受情報の第１個数を差し引き、すなわち、各検索空間の傍受情報の個数から超過個数をそれぞれ差し引く。具体的な実現方式として、所定設定パラメータに基づいて、各検索空間の割り当て重みを決定し、前記端末によってサポートされる傍受情報の総数よりも大きい傍受情報の第２個数及び前記割り当て重みとに基づいて、各検索空間の傍受情報の第１個数を取得する。
【００２４】
具体的には、この所定設定パラメータは、検索空間の傍受周期、傍受情報の初期個数、検索空間の優先度、下り制御情報のフォーマット、下り制御情報の長さ、及び検索空間タイプのうちの少なくとも１つを含む。
【００２５】
異なる所定設定パラメータを利用して各検索空間の割り当て重みを決定する具体的な方式が異なるため、以下、異なる所定設定パラメータの角度から、所定設定パラメータに基づいて各検索空間の割り当て重みを決定する具体的な実現方式をそれぞれ下記のように説明する。
【００２６】
Ａ１：所定設定パラメータが検索空間の傍受周期を含み、又は、所定設定パラメータが検索空間の傍受周期及び傍受情報の初期個数を含む場合。
具体的には、所定設定パラメータに基づいて、各検索空間の割り当て重みを決定する実現方式として、
所定設定パラメータに基づいて、各検索空間の所定時間内の検索頻度を取得し、
前記検索頻度に基づいて、各検索空間の割り当て重みを取得する。
【００２７】
具体的には、この所定時間とは、単位時間を指す。
【００２８】
更に、各検索空間の所定時間内の検索頻度を取得する方式として、
具体的には、
【００２９】
【数１】
2021513281.tif 000003
に基づいて、各検索空間の所定時間内の検索頻度を取得する。
ここで、Ｆｉは、ｉ番目の検索空間の所定時間内の検索頻度であり、Ｔｉは、ｉ番目の検索空間の傍受周期であり、ｉは、検索空間の番号である。
【００３０】
この場合、異なる所定設定パラメータを利用し、前記検索頻度に基づいて、各検索空間の割り当て重みを取得する具体的な方式も異なる。以下、異なる所定設定パラメータの角度から、前記検索頻度に基づいて各検索空間の割り当て重みを取得する具体的な実現方式をそれぞれ下記のように説明する。
【００３１】
Ｂ１：前記所定設定パラメータは、検索空間の傍受周期のみを含む。
前記の前記検索頻度に基づいて、各検索空間の割り当て重みを取得することは、
【００３２】
【数２】
2021513281.tif 000004
に基づいて、各検索空間の割り当て重みを取得することを含む。
ここで、Ｐｉは、ｉ番目の検索空間の割り当て重みであり、Ｆｉは、ｉ番目の検索空間の所定時間内の検索頻度であり、Σは、和関数である。
【００３３】
Ｂ２：前記所定設定パラメータは、検索空間の傍受周期を含み、更に傍受情報の初期個数を含む。
前記の前記検索頻度に基づいて、各検索空間の割り当て重みを取得することは、
【００３４】
【数３】
2021513281.tif 000005
に基づいて、各検索空間の割り当て重みを取得することを含む。
ここで、Ｐｉは、ｉ番目の検索空間の割り当て重みであり、Ｆｉは、ｉ番目の検索空間の所定時間内の検索頻度であり、Ｂｉは、ｉ番目の検索空間の傍受情報の初期個数である。
【００３５】
Ａ２：所定設定パラメータが検索空間の優先度を含む場合。
具体的には、所定設定パラメータに基づいて各検索空間の割り当て重みを決定する実現方式として、
【００３６】
【数４】
2021513281.tif 000006
に基づいて、各検索空間の割り当て重みを取得する。
ここで、Ｐｉは、ｉ番目の検索空間の割り当て重みであり、Ｌｉは、ｉ番目の検索空間の優先度である。
【００３７】
なお、各検索空間の割り当て重みは、
【００３８】
【数５】
2021513281.tif 000007
に従って算出されてもよい。上記ケースは、式の中のａ、ｂ、ｃがそれぞれ０又は１を取る特別な例と見なしてもよい。
【００３９】
異なるａ、ｂ、ｃの値を割り当てることによって、本開示の実施例は、更に様々な応用シーンに拡張することができる。
【００４０】
更に、前記端末によってサポートされる傍受情報の総数よりも大きい傍受情報の第２個数及び前記割り当て重みとに基づいて、各検索空間の傍受情報の第１個数を取得する具体的な実現方式として、
【００４１】
【数６】
2021513281.tif 000008
に基づいて、各検索空間の傍受情報の第１個数を取得する。
ここで、B´ｉは、ｉ番目の検索空間の傍受情報の第１個数であり、Ｂｉは、ｉ番目の検索空間の傍受情報の初期個数であり、Ｐｉは、ｉ番目の検索空間の割り当て重みであり、Ｍは、端末によってサポートされる傍受情報の総数である。ΣｉＢｉ−Ｍは、前記端末によってサポートされる傍受情報の総数よりも大きい傍受情報の第２個数である。Σは、和関数であり、Ｃは、第１閾値である。
【００４２】
なお、場合によっては、ある検索空間の傍受情報の初期個数が超過設定個数未満になることがある。上記式では、検索空間の傍受情報の最小個数である第１閾値が前もって１つ設定されており、検索空間の傍受情報の個数は、どのように設定されても、この第１閾値未満にならない。このような方式では、実際に各検索空間に割り当てられる傍受情報の数が本来割り当てられた数を超えないように確保する。傍受情報の数が検索空間に関連する制御リソースセット（ＣＯＲＥＳＥＴ）のリソース数に関係することを考慮すると、ＣＯＲＥＳＥＴリソースの許容を超える傍受情報の数を割り当てる必要はない。
【００４３】
一部の検索空間の傍受情報の初期個数が、減算されるべきその超過個数よりも小さい場合、これらの検索空間の未処理の超過個数は、他の検索空間に割り当てられるべきである。
具体的には、実現方式として、
第１検索空間の傍受情報の第３個数を取得し、
前記第３個数が０よりも大きい場合、前記第３個数を前記第１検索空間以外の検索空間に割り当て、各検索空間の傍受情報の第１個数を取得する。
ここで、前記第１検索空間の傍受情報の初期個数は、前記傍受情報の第２個数と前記第１検索空間に対応する前記割り当て重みとの積よりも小さく、前記第３個数は、
【００４４】
【数７】
2021513281.tif 000009
から取得される。
ここで、Ｂｉは、ｉ番目の検索空間の傍受情報の初期個数であり、Ｐｉは、ｉ番目の検索空間の割り当て重みであり、Ｍは、端末によってサポートされる傍受情報の総数である。
【００４５】
なお、前記第１検索空間以外の検索空間に第３個数を割り当てる場合、前記第１検索空間以外の検索空間では、上述した検索空間割り当て重みの方式で、第１検索空間以外の検索空間に第３個数を割り当ててもよいし、前記第１検索空間以外の検索空間では、傍受情報の残り数に相当する数の検索空間に第３個数を割り当てるようにしてもよい。具体的な割り当て方式として本開示の実施例において限定されないが、第３個数の割り当て完了後に、重なりが存在する検索空間の傍受情報の個数の合計が傍受情報の総数を超えないことが保証されればよい。
【００４６】
例えば、ブラインド検出数の決定を例にとると、ある検索空間の初期ブラインド検出数がその対応する超過個数よりも小さい場合、その検索空間のブラインド検出数は、Ｃ（Ｃは、０以上の整数である）に減算される。超過数とその初期ブラインド検出数との差にＣを加算した値がオーバードロー数となり、オーバードロー数を、割り当て重みに従って、別の検索空間に再度割り当てる。
【００４７】
例えば、ブラインド検出数の決定を例にとると、ブラインド検出総数は、４０であり、各検索空間のブラインド検出の最小個数は、１３（すなわちＣ＝１３）である。ここで、検索空間Ｍ１の初期ブラインド検出数は、２０であり、検索空間Ｍ２の初期ブラインド検出数は、１５であり、検索空間Ｍ３の初期ブラインド検出数は、１３である。割り当て重みを利用した割り当ての後に、検索空間Ｍ１のブラインド検出数は、１７であり、検索空間Ｍ２のブラインド検出数は、１３であり、検索空間Ｍ３のブラインド検出数は、１３である。この場合、更に３つの超過ブラインド検出数がある。検索空間Ｍ２及び検索空間Ｍ３が最小のブラインド検出数に達したので、この場合、３つの超過ブラインド検出数が検索空間Ｍ１に割り当てられ、最終的に検索空間Ｍ１のブラインド検出数は、１４である。
【００４８】
所定設定パラメータが検索空間の傍受周期を含み、且つ端末のブラインド検出数の決定を例にとり、このような実現方式に対し、下記のように例を挙げて説明する。
端末がサポートする最大のブラインド検出回数Ｍ＝４４であり、端末に複数の検索空間が設定されているとする。例えば、検索空間Ｓ１の傍受周期は、２であり、検索空間Ｓ２の傍受周期は、５であり、検索空間Ｓ３の傍受周期は、１０である。各検索空間の初期ブラインド検出数は、すべて２０に割り当てられる。３つの検索空間が時間的に重なる場合、各検索空間の実際のブラインド検出回数を計算する。
最初に、超過個数１６を算出し、
各検索空間の割り当て重みを計算し、
Ｓ１の割り当て重みは、５／８であり、Ｓ２の割り当て重みは、１／４であり、Ｓ３の割り当て重みは、１／８であり、
各検索空間に実際に割り当てられるブラインド検出数について、Ｓ１に実際に割り当てられるブラインド検出数は、１０であり、Ｓ２に実際に割り当てられるブラインド検出数は、１６であり、Ｓ３に実際に割り当てられるブラインド検出数は、１８である。
【００４９】
本開示の実施例の割り当て方式によれば、ブラインド検出総数が上限４４個を超えず、且つ長周期の検索空間はブラインド検出数を多く保持し、短周期の検索空間はブラインド検出数を多く破棄することで、公平性を保証し、長周期の検索空間では長期にわたってブラインド検出数を割り当てられないことのないようにする。
【００５０】
方式３：前記端末によってサポートされる傍受情報の総数に基づいて、各検索空間の傍受情報の第１個数を決定する。
【００５１】
なお、このような実現方式は、各検索空間の割合に従って、傍受情報総数を新たに割り当てることである。具体的には、実現方式として、所定設定パラメータに基づいて、各検索空間の割り当て重みを決定し、前記割り当て重みに基づいて、各検索空間の割り当て割合を決定し、前記割り当て割合及び前記端末によってサポートされる傍受情報の総数に基づいて、各検索空間の傍受情報の第１個数を決定する。
【００５２】
具体的には、この所定設定パラメータは、検索空間の傍受周期、傍受情報の初期個数、検索空間の優先度、下り制御情報のフォーマット、下り制御情報の長さ、及び検索空間タイプのうちの少なくとも１つを含む。
【００５３】
異なる所定設定パラメータを利用し、所定設定パラメータに基づいて、各検索空間の割り当て重みを決定する具体的な方式が異なるため、以下、異なる所定設定パラメータの角度から、所定設定パラメータに基づいて各検索空間の割り当て重みを決定する具体的な実現をそれぞれ下記のように説明する。
【００５４】
Ｃ１：所定設定パラメータが検索空間の傍受周期を含み、又は、所定設定パラメータが検索空間の傍受周期及び傍受情報の初期個数を含む場合。
具体的には、所定設定パラメータに基づいて、各検索空間の割り当て重みを決定する実現方式として、
所定設定パラメータに基づいて、各検索空間の所定時間内の検索頻度を取得し、
前記検索頻度に基づいて、各検索空間の割り当て重みを取得する。
【００５５】
具体的には、この所定時間とは、単位時間を指す。
【００５６】
更に、各検索空間の所定時間内の検索頻度を取得する方式として、
具体的には、
【００５７】
【数８】
2021513281.tif 000010
に基づいて、各検索空間の所定時間内の検索頻度を取得する。
ここで、Ｆｉは、ｉ番目の検索空間の所定時間内の検索頻度であり、Ｔｉは、ｉ番目の検索空間の傍受周期であり、ｉは、検索空間の番号である。
【００５８】
この場合、異なる所定設定パラメータを利用し、前記検索頻度に基づいて、各検索空間の割り当て重みを取得する具体的な方式も異なる。以下、異なる所定設定パラメータの角度から、前記検索頻度に基づいて各検索空間の割り当て重みを取得する具体的な実現をそれぞれ下記のように説明する。
【００５９】
Ｄ１：前記所定設定パラメータは、検索空間の傍受周期のみを含む。
前記の前記検索頻度に基づいて、各検索空間の割り当て重みを取得することは、
【００６０】
【数９】
2021513281.tif 000011
に基づいて、各検索空間の割り当て重みを取得することを含む。
ここで、Ｐｉは、ｉ番目の検索空間の割り当て重みであり、Ｆｉは、ｉ番目の検索空間の所定時間内の検索頻度であり、Σは、和関数である。
【００６１】
Ｄ２：前記所定設定パラメータは、検索空間の傍受周期を含み、更に傍受情報の初期個数を含む。
前記の前記検索頻度に基づいて、各検索空間の割り当て重みを取得することは、
【００６２】
【数１０】
2021513281.tif 000012
に基づいて、各検索空間の割り当て重みを取得することを含む。
ここで、Ｐｉは、ｉ番目の検索空間の割り当て重みであり、Ｆｉは、ｉ番目の検索空間の所定時間内の検索頻度であり、Ｂｉは、ｉ番目の検索空間の傍受情報の初期個数である。
【００６３】
Ｃ２：所定設定パラメータが検索空間の優先度を含む場合。
具体的には、所定設定パラメータに基づいて各検索空間の割り当て重みを決定する実現方式として、
【００６４】
【数１１】
2021513281.tif 000013
に基づいて、各検索空間の割り当て重みを取得する。
ここで、Ｐｉは、ｉ番目の検索空間の割り当て重みであり、Ｌｉは、ｉ番目の検索空間の優先度である。
【００６５】
更に、前記割り当て重みに基づいて、各検索空間の割り当て割合を決定する実現方式として、
【００６６】
【数１２】
2021513281.tif 000014
に基づいて、各検索空間の割り当て割合を取得する。
ここで、Ｕｉは、ｉ番目の検索空間の割り当て割合であり、Ｐｉは、ｉ番目の検索空間の割り当て重みである。
【００６７】
なお、各検索空間の割り当て重みは、
【００６８】
【数１３】
2021513281.tif 000015
に従って算出されてもよい。上記ケースは、式の中のａ、ｂ、ｃがそれぞれ０又は１を取る特別な例と見なしてもよい。
【００６９】
異なるａ、ｂ、ｃの値を割り当てることによって、本開示の実施例は、更に様々な応用シーンに拡張することができる。
【００７０】
更に、前記割り当て割合及び前記端末によってサポートされる傍受情報の総数に基づいて、各検索空間の傍受情報の第１個数を決定することは、
【００７１】
【数１４】
2021513281.tif 000016
に基づいて、各検索空間の傍受情報の第１個数を取得することを含む。
ここで、B´ｉは、ｉ番目の検索空間の第１個数であり、Ｕｉは、ｉ番目の検索空間の割り当て割合であり、Ｍは、端末によってサポートされる傍受情報の総数である。
【００７２】
なお、本開示の実施例の上記記載は、端末が少なくとも２つの検索空間を傍受し、且つ前記少なくとも２つの検索空間の傍受情報の初期個数の合計が前記端末によってサポートされる傍受情報の総数よりも大きい場合、検索空間の傍受情報の個数を新たに決定する方式である。端末は、任意の単位時点で、一つの検索空間を傍受すればよい場合や、検索空間が複数あるが、全ての検索空間の傍受情報の初期個数の合計が端末によってサポートされる傍受情報の総数を超えない場合、ネットワークによって設定された傍受情報の初期個数に従ってそれぞれ傍受する。本開示の実施例は、異なる周期の検索空間に対するブラインド検出数及びチャネル推定数割り当てのオーバーブッキング（ｏｖｅｒｂｏｏｋｉｎｇ）をサポートする。すなわち各検索空間には、端末によってサポートされる最大のブラインド検出数及びチャネル推定数を超えないブラインド検出数及びチャネル推定数が個別に割り当てられることができる。これにより、端末の処理能力を十分に活用し、システムリソースの利用率を向上させ、割当輻輳確率を低減することができる。複数の検索空間が時間的に重なる場合、本開示の実施例による方法で、ブラインド検出数又はチャネル推定数を検索空間間に割り当てることによって、すべての検索空間でのブラインド検出総数又はチャネル推定総数の合計が端末によってサポートされる最大能力を超えないことを確保する。
【００７３】
なお、本開示の実施例は、複数の搬送波で周期信号を同時に送信する場合の電力割り当てなど、他の任意の周期の異なるリソース間で有限リソースの割り当て超過の場合にも適用可能である。
【００７４】
図２に示すように、本開示の実施例は、検索空間の傍受情報の決定装置２００を更に提供する。
この検索空間の傍受情報の決定装置２００は、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定するための決定モジュール２０１を含む。
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む。
【００７５】
更に、前記決定モジュール２０１は、
検索空間の優先度タイプ情報に基づいて、各検索空間の傍受情報の第１個数を決定するための第１決定サブモジュールと、
前記傍受情報の第２個数に基づいて、各検索空間の傍受情報の第１個数を決定するための第２決定サブモジュールと、
ここで、前記第２個数は、少なくとも２つの検索空間のうちの各検索空間の傍受情報の第１個数の合計と前記端末によってサポートされる傍受情報の総数との差であり、
前記端末によってサポートされる傍受情報の総数に基づいて、各検索空間の傍受情報の第１個数を決定するための第３決定サブモジュールと、
のうちの少なくとも１つを含む。
【００７６】
更に、前記第２決定サブモジュールは、
所定設定パラメータに基づいて、各検索空間の割り当て重みを決定するための第１決定ユニットと、
前記傍受情報の第２個数及び前記割り当て重みとに基づいて、各検索空間の傍受情報の第１個数を取得するための第１取得ユニットとを含む。
【００７７】
更に、前記第３決定サブモジュールは、
所定設定パラメータに基づいて、各検索空間の割り当て重みを決定するための第２決定ユニットと、
前記割り当て重みに基づいて、各検索空間の割り当て割合を決定するための第３決定ユニットと、
前記割り当て割合及び前記端末によってサポートされる傍受情報の総数に基づいて、各検索空間の傍受情報の第１個数を決定するための第４決定ユニットとを含む。
【００７８】
具体的には、前記所定設定パラメータは、検索空間の傍受周期、傍受情報の初期個数、検索空間の優先度、下り制御情報のフォーマット、下り制御情報の長さ、及び検索空間タイプのうちの少なくとも１つを含む。
【００７９】
更に、前記の所定設定パラメータに基づいて、各検索空間の割り当て重みを決定することは、
所定設定パラメータに基づいて、各検索空間の所定時間内の検索頻度を取得することと、
前記検索頻度に基づいて、各検索空間の割り当て重みを取得することとを含む。
【００８０】
更に、前記所定設定パラメータが検索空間の傍受周期を含む場合、前記の各検索空間の所定時間内の検索頻度を取得することは、
【００８１】
【数１５】
2021513281.tif 000017
に基づいて、各検索空間の所定時間内の検索頻度を取得することを含む。
ここで、前記検索頻度に基づいて、各検索空間の割り当て重みを取得することは、
【００８２】
【数１６】
2021513281.tif 000018
に基づいて、各検索空間の割り当て重みを取得することを含む。
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Σは、和関数であり、ｉは、検索空間の番号である。
【００８３】
更に、前記所定設定パラメータが検索空間の傍受周期及び傍受情報の初期個数を含む場合、前記の各検索空間の所定時間内の検索頻度を取得することは、
【００８４】
【数１７】
2021513281.tif 000019
に基づいて、各検索空間の所定時間内の検索頻度を取得することを含む。
ここで、前記の前記検索頻度に基づいて、各検索空間の割り当て重みを取得することは、
【００８５】
【数１８】
2021513281.tif 000020
に基づいて、各検索空間の割り当て重みを取得することを含む。
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Ｂｉは、ｉ番目の検索空間の傍受情報の初期個数であり、Σは、和関数であり、ｉは、検索空間の番号である。
【００８６】
更に、前記所定設定パラメータが検索空間の優先度を含む場合、前記の所定設定パラメータに基づいて各検索空間の割り当て重みを決定することは、
【００８７】
【数１９】
2021513281.tif 000021
に基づいて、各検索空間の割り当て重みを取得することを含む。
ここで、Ｐｉは、ｉ番目の検索空間の割り当て重みであり、Ｌｉは、ｉ番目の検索空間の優先度であり、Σは、和関数であり、ｉは、検索空間の番号である。
【００８８】
更に、前記第１取得ユニットは、
【００８９】
【数２０】
2021513281.tif 000022
に基づいて、各検索空間の傍受情報の第１個数を取得することに用いられる。
ここで、B´ｉは、ｉ番目の検索空間の傍受情報の第１個数であり、Ｂｉは、ｉ番目の検索空間の傍受情報の初期個数であり、Ｐｉは、ｉ番目の検索空間の割り当て重みであり、Ｍは、端末によってサポートされる傍受情報の総数であり、ΣｉＢｉ−Ｍは、前記端末によってサポートされる傍受情報の総数よりも大きい傍受情報の第２個数であり、Σは、和関数であり、Ｃは、第１閾値であり、ｉは、検索空間の番号である。
【００９０】
更に、前記第２決定サブモジュールは、
第１検索空間の傍受情報の第３個数を取得するための第２取得ユニットと、
前記第３個数が０よりも大きい場合、前記第３個数を前記第１検索空間以外の検索空間に割り当て、各検索空間の傍受情報の第１個数を取得するための割り当てユニットとを更に含む。
ここで、前記第１検索空間の傍受情報の初期個数は、前記傍受情報の第２個数と前記第１検索空間に対応する前記割り当て重みとの積よりも小さく、
前記第３個数は、
【００９１】
【数２１】
2021513281.tif 000023
から取得される。
ここで、Ｂｉは、ｉ番目の検索空間の傍受情報の初期個数であり、Ｐｉは、ｉ番目の検索空間の割り当て重みであり、Ｍは、端末によってサポートされる傍受情報の総数であり、Ｃは、第１閾値であり、ｉは、検索空間の番号である。
【００９２】
更に、前記第３決定ユニットは、
【００９３】
【数２２】
2021513281.tif 000024
に基づいて、各検索空間の割り当て割合を取得することに用いられる。
ここで、Ｕｉは、ｉ番目の検索空間の割り当て割合であり、Ｐｉは、ｉ番目の検索空間の割り当て重みであり、ｉは、検索空間の番号である。
【００９４】
更に、前記第４決定ユニットは、
【００９５】
【数２３】
2021513281.tif 000025
に基づいて、各検索空間の傍受情報の第１個数を取得することに用いられる。
ここで、B´ｉは、ｉ番目の検索空間の第１個数であり、Ｕｉは、ｉ番目の検索空間の割り当て割合であり、Ｍは、端末によってサポートされる傍受情報の総数であり、Σは、和関数であり、ｉは、検索空間の番号である。
【００９６】
本開示の実施例による検索空間の傍受情報の決定装置２００は、図１の方法実施例に係る検索空間の傍受情報の決定装置２００により実現される各プロセスを実現可能であり、重複を避けるためにここでは繰り返して記載しない。本開示の実施例に係る検索空間の傍受情報の決定装置２００は、端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定し、少なくとも２つの検索空間のうちの各検索空間の傍受情報の第１個数の合計が傍受情報の総数以下になることを保証することによって、システムの制御リソース利用率を高め、制御チャネル割当輻輳確率を低下させ、ネットワーク通信の信頼性を保証する。
【００９７】
図３は、本開示の実施例を実現する検索空間の傍受情報の決定装置のハードウェア構造を示す図である。
【００９８】
この検索空間の傍受情報の決定装置３０は、ラジオ周波数ユニット３１０と、ネットワークモジュール３２０と、音声出力ユニット３３０と、入力ユニット３４０と、センサ３５０と、表示ユニット３６０と、ユーザ入力ユニット３７０と、インタフェースユニット３８０と、メモリ３９０と、プロセッサ３１１と、電源３１２などの構成要素を含むが、これらに限定されない。図３に示される検索空間の傍受情報の決定装置の構造は、検索空間の傍受情報の決定装置を限定するものではなく、検索空間の傍受情報の決定装置は、図示されるよりも多い又は少ない構成要素を含むことができ、又は決定の構成要素を組み合わせることができ、又は異なる構成要素の構成を含むことができることを、当業者は理解可能である。本開示の実施例において、検索空間の傍受情報の決定装置は、携帯電話、タブレットパソコン、ノートパソコン、パームトップパソコン、車載端末、ウェアラブルデバイス及び歩数計などを含むが、それらに限定されない。
【００９９】
ここで、プロセッサ３１１は、端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定することに用いられる。
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む。
【０１００】
本開示の実施例に係る検索空間の傍受情報の決定装置は、端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定し、少なくとも２つの検索空間のうちの各検索空間の傍受情報の第１個数の合計が傍受情報の総数以下になることを保証することによって、システムの制御リソース利用率を高め、制御チャネル割当輻輳確率を低下させ、ネットワーク通信の信頼性を保証する。
【０１０１】
なお、本開示の実施例において、ラジオ周波数ユニット３１０は、情報の送受信又は通話中で信号の送受信に用いられ、具体的に、ネットワーク機器からの下りデータを受信した後、プロセッサ３１１による処理に供し、また、上りデータをネットワーク機器に送信する。一般に、ラジオ周波数ユニット３１０は、アンテナ、少なくとも１つの増幅器、トランシーバ、結合器、低雑音増幅器、デュプレクサなどを含むが、それらに限定されない。また、ラジオ周波数ユニット３１０は、無線通信システムを介してネットワークや他の機器と通信を行うこともできる。
【０１０２】
検索空間の傍受情報の決定装置は、ネットワークモジュール３２０を介して、電子メールの送受信、ウェブページの閲覧、ストリーミングメディアへのアクセスを支援するなど、無線ブロードバンドインターネットアクセスをユーザに提供する。
【０１０３】
音声出力ユニット３３０は、ラジオ周波数ユニット３１０やネットワークモジュール３２０が受信した音声データや、メモリ３９０に記憶された音声データを音声信号に変換して音声として出力することができる。また、音声出力ユニット３３０は、検索空間の傍受情報の決定装置３０が実行する特定の機能に関する音声（例えば、呼出信号着信音、メッセージ着信音等）を出力してもよい。音声出力ユニット３３０は、スピーカ、ブザー及びレシーバなどを含む。
【０１０４】
入力ユニット３４０は、音声や映像の信号を受信することに用いられる。入力ユニット３４０は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）３４１と、マイク３４２とを含む。処理された画像フレームは、表示ユニット３６０上に表示される。グラフィックスプロセッサ３４１で処理された画像フレームは、メモリ３９０（又は他の記憶媒体）に記憶されるか、又はラジオ周波数ユニット３１０又はネットワークモジュール３２０を介して送信される。マイク３４２は、音声を受信し、音声データに加工することができる。処理された音声データは、電話通話モードの場合、ラジオ周波数ユニット３１０を介して移動体通信基地局に送信可能な形式に変換して出力することができる。
【０１０５】
検索空間の傍受情報の決定装置３０は、光センサ、モーションセンサ及び他のセンサのような少なくとも１つのセンサ３５０を更に含む。具体的には、光センサは、周辺光センサ及び近接センサを含む。周辺光センサは、周辺光の明暗に応じて表示パネル３６１の輝度を調節し、近接センサは、検索空間の傍受情報の決定装置３０が耳に移動したときに表示パネル３６１及び／又はバックライトを消灯する。モーションセンサの１種として、加速度計センサは、様々な方向（一般的には３軸）の加速度の大きさを検出でき、静止時は重力の大きさ及び方向を検出でき、検索空間の傍受情報の決定装置の姿勢の認識（例えば、縦横画面切替、関連ゲーム、磁力計姿勢キャリブレーション）、振動認識関連機能（たとえば、歩数計、ストローク）などに用いることができる。センサ３５０は、指紋センサ、圧力センサ、虹彩センサ、分子センサ、ジャイロスコープ、気圧計、湿度計、温度計、赤外線センサなどを更に含むことができるが、ここでは枚挙しない。
【０１０６】
表示ユニット３６０は、ユーザが入力した情報やユーザに提供した情報を表示するために用いられる。表示ユニット３６０は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル３６１を含んでもよい。
【０１０７】
ユーザ入力ユニット３７０は、数字や文字情報の入力を受け付け、ユーザによる検索空間の傍受情報の決定装置の設定や機能制御に関するキー信号の入力を行うことに用いられる。具体的に、ユーザ入力ユニット３７０は、タッチパネル３７１と、その他の入力機器３７２とを含む。タッチパネル３７１は、タッチスクリーンとも呼ばれ、その上又は付近でのユーザのタッチ操作を取得可能である（たとえばユーザが指やスタイラスなどの任意の適切な物体や付属部材を用いたタッチパネル３７１の上又はタッチパネル３７１の付近での操作）。タッチパネル３７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ３１１に送り、プロセッサ３１１からの命令を受信して実行する。なお、タッチパネル３７１は、抵抗膜式、静電容量式、赤外線、表面弾性波など、種々の方式を用いて実現することができる。ユーザ入力ユニット３７０は、タッチパネル３７１の他に、他の入力機器３７２を含んでもよい。具体的に、他の入力機器３７２は、物理的なキーボード、機能キー（例えば、音量調節キー、スイッチキーなど）、トラックボール、マウス、レバーを含むが、ここでは枚挙しない。
【０１０８】
更に、タッチパネル３７１は、表示パネル３６１に重ねられる。タッチパネル３７１は、その上又はその近くでタッチ操作を検出すると、プロセッサ３１１に送信して、タッチイベントのタイプを決定する。次いで、プロセッサ３１１は、タッチイベントのタイプに応じて、対応する視覚的出力を表示パネル３６１に提供する。図３では、タッチパネル３７１と表示パネル３６１は、独立した２つの部品として端末の入出力機能を実現するが、実施例によっては、タッチパネル３７１と表示パネル３６１を一体化して検索空間の傍受情報の決定装置の入出力機能を実現することもでき、具体的にここでは限定しない。
【０１０９】
インタフェースユニット３８０は、外部装置と検索空間の傍受情報の決定装置３０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット３８０は、外部装置から入力（たとえば、データ情報、電力など）を受信し、受信した入力を検索空間の傍受情報の決定装置３０内の１つ以上の要素に伝送するために使用されてもよく、又は検索空間の傍受情報の決定装置３０と外部装置との間でデータを伝送するために使用されてもよい。
【０１１０】
メモリ３９０は、ソフトウェアプログラム及び様々なデータを格納するために使用される。メモリ３９０は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ３９０は、高速ランダムアクセスメモリを含んでもよく、少なくとも１つの磁気ディスク記憶装置、フラッシュメモリデバイス、又は他の揮発性固体記憶デバイスなどの非揮発性メモリを含んでもよい。
【０１１１】
プロセッサ３１１は、端末の制御センタであり、各種インタフェースや回線を用いて検索空間の傍受情報の決定装置全体の各部を接続し、メモリ３９０に格納されたソフトウェアプログラム及び／又はモジュールを実行、メモリ３９０に格納されたデータを呼び出して検索空間の傍受情報の決定装置の各種機能及び処理データを実行し、検索空間の傍受情報の決定装置全体の監視を行う。プロセッサ３１１は、１つ以上の処理ユニットを含んでもよい。選択可能に、プロセッサ３１１は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ３１１に統合されなくてもよいことが理解される。
【０１１２】
検索空間の傍受情報の決定装置３０は、各構成要素に電力を供給するためのバッテリのような電源３１２を更に含んでもよい。選択可能に、電源３１２は、電源管理システムを介してプロセッサ３１１に論理的に接続されてもよく、電源管理システムを介して充電、放電、及び消費電力管理などを管理する機能を実現してもよい。
【０１１３】
また、検索空間の傍受情報の決定装置３０は、図示しない機能モジュールを更に含んでもよく、ここでの説明は省略する。
【０１１４】
図４は、本開示の実施例を実現する検索空間の傍受情報の決定装置のハードウェア構造を示す図のその２であり、上記の検索空間の傍受情報の決定装置の細部を実現可能であり、同じ効果を奏することもできる。図４に示すように、前記検索空間の傍受情報の決定装置４００は、プロセッサ４０１と、トランシーバ４０２と、メモリ４０３と、バスインタフェースとを含む。
プロセッサ４０１は、メモリ４０３からプログラムを読み取ることによって、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定するプロセスを実行することに用いられる。
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む。
【０１１５】
図４において、バスアーキテクチャは、任意数の相互接続するバスとブリッジを含み、具体的に、プロセッサ４０１をはじめとする１つ又は複数のプロセッサとメモリ４０３をはじめとするメモリの各種類の回路が接続したものである。バスアーキテクチャは、周辺装置、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ４０２は、複数の部品であってもよく、即ち送信機と受信機を含み、伝送媒体で他の各種類の装置と通信するユニットとして提供される。
【０１１６】
プロセッサ４０１は、バスアーキテクチャと通常の処理を管理する。メモリ４０３は、プロセッサ４０１による操作実行に使用されるデータを記憶できる。
【０１１７】
選択可能に、前記プロセッサ４０１は、メモリ４０３からプログラムを読み取ることによって、更に、
検索空間の優先度タイプ情報に基づいて、各検索空間の傍受情報の第１個数を決定すること、
前記傍受情報の第２個数に基づいて、各検索空間の傍受情報の第１個数を決定すること、
ここで、前記第２個数は、少なくとも２つの検索空間のうちの各検索空間の傍受情報の第１個数の合計と前記端末によってサポートされる傍受情報の総数との差であり、
前記端末によってサポートされる傍受情報の総数に基づいて、各検索空間の傍受情報の第１個数を決定することのうちの少なくとも１つを実行することに用いられる。
【０１１８】
選択可能に、前記プロセッサ４０１は、メモリ４０３からプログラムを読み取ることによって、更に、
所定設定パラメータに基づいて、各検索空間の割り当て重みを決定することと、
前記傍受情報の第２個数及び前記割り当て重みとに基づいて、各検索空間の傍受情報の第１個数を取得することとを実行することに用いられる。
【０１１９】
選択可能に、前記プロセッサ４０１は、メモリ４０３からプログラムを読み取ることによって、更に、
所定設定パラメータに基づいて、各検索空間の割り当て重みを決定することと、
前記割り当て重みに基づいて、各検索空間の割り当て割合を決定することと、
前記割り当て割合及び前記端末によってサポートされる傍受情報の総数に基づいて、各検索空間の傍受情報の第１個数を決定することとを実行することに用いられる。
【０１２０】
具体的には、前記所定設定パラメータは、検索空間の傍受周期、傍受情報の初期個数、検索空間の優先度、下り制御情報のフォーマット、下り制御情報の長さ、及び検索空間タイプのうちの少なくとも１つを含む。
【０１２１】
選択可能に、前記プロセッサ４０１は、メモリ４０３からプログラムを読み取ることによって、更に、
所定設定パラメータに基づいて、各検索空間の所定時間内の検索頻度を取得することと、
前記検索頻度に基づいて、各検索空間の割り当て重みを取得することとを実行することに用いられる。
【０１２２】
選択可能に、前記所定設定パラメータが検索空間の傍受周期を含む場合、前記プロセッサ４０１は、メモリ４０３からプログラムを読み取ることによって、更に、
【０１２３】
【数２４】
2021513281.tif 000026
に基づいて、各検索空間の所定時間内の検索頻度を取得することを実行することに用いられる。
ここで、前記検索頻度に基づいて、各検索空間の割り当て重みを取得することは、
【０１２４】
【数２５】
2021513281.tif 000027
に基づいて、各検索空間の割り当て重みを取得することを含む。
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Σは、和関数であり、ｉは、検索空間の番号である。
【０１２５】
選択可能に、前記所定設定パラメータが検索空間の傍受周期及び傍受情報の初期個数を含む場合、前記プロセッサ４０１は、メモリ４０３からプログラムを読み取ることによって、更に、
【０１２６】
【数２６】
2021513281.tif 000028
に基づいて、各検索空間の所定時間内の検索頻度を取得することを実行することに用いられる。
ここで、前記の前記検索頻度に基づいて、各検索空間の割り当て重みを取得することは、
【０１２７】
【数２７】
2021513281.tif 000029
に基づいて、各検索空間の割り当て重みを取得することを含む。
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Ｂｉは、ｉ番目の検索空間の傍受情報の初期個数であり、Σは、和関数であり、ｉは、検索空間の番号である。
【０１２８】
選択可能に、前記所定設定パラメータが検索空間の優先度を含む場合、前記プロセッサ４０１は、メモリ４０３からプログラムを読み取ることによって、更に、
【０１２９】
【数２８】
2021513281.tif 000030
に基づいて、各検索空間の割り当て重みを取得することを実行することに用いられる。
ここで、Ｐｉは、ｉ番目の検索空間の割り当て重みであり、Ｌｉは、ｉ番目の検索空間の優先度であり、Σは、和関数であり、ｉは、検索空間の番号である。
【０１３０】
選択可能に、前記プロセッサ４０１は、メモリ４０３からプログラムを読み取ることによって、更に、
【０１３１】
【数２９】
2021513281.tif 000031
に基づいて、各検索空間の傍受情報の第１個数を取得することを実行することに用いられる。
ここで、B´ｉは、ｉ番目の検索空間の傍受情報の第１個数であり、Ｂｉは、ｉ番目の検索空間の傍受情報の初期個数であり、Ｐｉは、ｉ番目の検索空間の割り当て重みであり、Ｍは、端末によってサポートされる傍受情報の総数であり、ΣｉＢｉ−Ｍは、前記端末によってサポートされる傍受情報の総数よりも大きい傍受情報の第２個数であり、Σは、和関数であり、Ｃは、第１閾値であり、ｉは、検索空間の番号である。
【０１３２】
選択可能に、前記プロセッサ４０１は、メモリ４０３からプログラムを読み取ることによって、更に、
第１検索空間の傍受情報の第３個数を取得することと、
前記第３個数が０よりも大きい場合、前記第３個数を前記第１検索空間以外の検索空間に割り当て、各検索空間の傍受情報の第１個数を取得することとを実行することに用いられる。
ここで、前記第１検索空間の傍受情報の初期個数は、前記傍受情報の第２個数と前記第１検索空間に対応する前記割り当て重みとの積よりも小さく、
前記第３個数は、
【０１３３】
【数３０】
2021513281.tif 000032
から取得される。
ここで、Ｂｉは、ｉ番目の検索空間の傍受情報の初期個数であり、Ｐｉは、ｉ番目の検索空間の割り当て重みであり、Ｍは、端末によってサポートされる傍受情報の総数であり、Ｃは、第１閾値であり、ｉは、検索空間の番号である。
【０１３４】
選択可能に、前記プロセッサ４０１は、メモリ４０３からプログラムを読み取ることによって、更に、
【０１３５】
【数３１】
2021513281.tif 000033
に基づいて、各検索空間の割り当て割合を取得することを実行することに用いられる。
ここで、Ｕｉは、ｉ番目の検索空間の割り当て割合であり、Ｐｉは、ｉ番目の検索空間の割り当て重みであり、ｉは、検索空間の番号である。
【０１３６】
選択可能に、前記プロセッサ４０１は、メモリ４０３からプログラムを読み取ることによって、更に、
【０１３７】
【数３２】
2021513281.tif 000034
に基づいて、各検索空間の傍受情報の第１個数を取得することを実行することに用いられる。
ここで、B´ｉは、ｉ番目の検索空間の第１個数であり、Ｕｉは、ｉ番目の検索空間の割り当て割合であり、Ｍは、端末によってサポートされる傍受情報の総数であり、Σは、和関数であり、ｉは、検索空間の番号である。
【０１３８】
ここで、この実施例において、この検索空間の傍受情報の決定装置は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよい。更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１３９】
好適に、本開示の実施例は、プロセッサと、メモリと、メモリに記憶され、前記プロセッサで動作可能なコンピュータプログラムを含む検索空間の傍受情報の決定装置を更に提供し、このコンピュータプログラムがプロセッサによって実行されると、検索空間の傍受情報の決定方法の実施例の各プロセスが実現され、且つ同じ技術効果を達成することができるので、重複を避けるためにここでは繰り返して記載しない。
【０１４０】
本開示の実施例は、コンピュータプログラムが記憶されているコンピュータ読み取り可能な記憶媒体を更に提供し、このコンピュータプログラムがプロセッサによって実行されると、検索空間の傍受情報の決定方法の実施例の各プロセスが実現され、且つ同じ技術効果を達成することができるので、重複を避けるためにここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【０１４１】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１４２】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末（携帯電話、コンピュータ、サーバー、空調機又はネットワーク機器など）に実行させるいくつかの指令を含む。
【０１４３】
以上記載されたのは、本開示の好適な実施形態である。当業者は、本開示に記載されている原理を逸脱せずに様々な改良や修飾をすることもできる。これらの改良や修飾も、本開示の保護範囲内に含まれる。
【図１】
2021513281.tif 000053
【図２】
2021513281.tif 000054
【図３】
2021513281.tif 000055
【図４】
2021513281.tif 000056
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
検索空間の傍受情報の決定方法であって、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定することを含み、
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む、検索空間の傍受情報の決定方法。
【請求項２】
前記の前記少なくとも２つの検索空間のうちの各検索空間の傍受情報の第１個数を決定することは、
検索空間の優先度タイプ情報に基づいて、各検索空間の傍受情報の第１個数を決定すること、
前記傍受情報の第２個数に基づいて、各検索空間の傍受情報の第１個数を決定すること、
ここで、前記の第２個数は、少なくとも２つの検索空間のうちの各検索空間の傍受情報の初期個数の合計と前記端末によってサポートされる傍受情報の総数との差であり、
前記端末によってサポートされる傍受情報の総数に基づいて、各検索空間の傍受情報の第１個数を決定すること、
のうちの少なくとも１つを含む、請求項１に記載の検索空間の傍受情報の決定方法。
【請求項３】
前記の前記端末によってサポートされる傍受情報の総数に基づいて、各検索空間の傍受情報の第１個数を決定することは、
所定設定パラメータに基づいて、各検索空間の割り当て重みを決定することと、
前記割り当て重みに基づいて、各検索空間の割り当て割合を決定することと、
前記割り当て割合及び前記端末によってサポートされる傍受情報の総数に基づいて、各検索空間の傍受情報の第１個数を決定することとを含み、
または、
前記の前記傍受情報の第２個数に基づいて、各検索空間の傍受情報の第１個数を決定することは、
所定設定パラメータに基づいて、各検索空間の割り当て重みを決定することと、
前記傍受情報の第２個数及び前記割り当て重みとに基づいて、各検索空間の傍受情報の第１個数を取得することとを含む、請求項２に記載の検索空間の傍受情報の決定方法。
【請求項４】
前記所定設定パラメータは、
検索空間の傍受周期、傍受情報の初期個数、検索空間の優先度、下り制御情報のフォーマット、下り制御情報の長さ、及び検索空間タイプのうちの少なくとも１つを含む、請求項３に記載の検索空間の傍受情報の決定方法。
【請求項５】
前記の所定設定パラメータに基づいて、各検索空間の割り当て重みを決定することは、
所定設定パラメータに基づいて、各検索空間の所定時間内の検索頻度を取得することと、
前記検索頻度に基づいて、各検索空間の割り当て重みを取得することとを含む、請求項３に記載の検索空間の傍受情報の決定方法。
【請求項６】
前記所定設定パラメータが検索空間の傍受周期を含む場合、前記の各検索空間の所定時間内の検索頻度を取得することは、
2021513281.tif 000057
に基づいて、各検索空間の所定時間内の検索頻度を取得することを含み、
ここで、前記検索頻度に基づいて、各検索空間の割り当て重みを取得することは、
2021513281.tif 000058
に基づいて、各検索空間の割り当て重みを取得することを含み、
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Σは、和関数であり、ｉは、検索空間の番号である、請求項５に記載の検索空間の傍受情報の決定方法。
【請求項７】
前記所定設定パラメータが検索空間の傍受周期及び傍受情報の初期個数を含む場合、前記の各検索空間の所定時間内の検索頻度を取得することは、
2021513281.tif 000059
に基づいて、各検索空間の所定時間内の検索頻度を取得することを含み、
ここで、前記の前記検索頻度に基づいて、各検索空間の割り当て重みを取得することは、
2021513281.tif 000060
に基づいて、各検索空間の割り当て重みを取得することを含み、
ここで、Ｆｉは、ｉ番目の検索空間の所定時間内の検索頻度であり、Ｔｉは、ｉ番目の検索空間の傍受周期であり、Ｐｉは、ｉ番目の検索空間の割り当て重みであり、Ｂｉは、ｉ番目の検索空間の傍受情報の初期個数であり、Σは、和関数であり、ｉは、検索空間の番号である、請求項５に記載の検索空間の傍受情報の決定方法。
【請求項８】
前記所定設定パラメータが検索空間の優先度を含む場合、前記の所定設定パラメータに基づいて各検索空間の割り当て重みを決定することは、
2021513281.tif 000061
に基づいて、各検索空間の割り当て重みを取得することを含み、
ここで、Ｐｉは、ｉ番目の検索空間の割り当て重みであり、Ｌｉは、ｉ番目の検索空間の優先度であり、Σは、和関数であり、ｉは、検索空間の番号である、請求項３に記載の検索空間の傍受情報の決定方法。
【請求項９】
前記の前記端末によってサポートされる傍受情報の総数よりも大きい傍受情報の第２個数及び前記割り当て重みとに基づいて、各検索空間の傍受情報の第１個数を取得することは、
2021513281.tif 000062
に基づいて、各検索空間の傍受情報の第１個数を取得することを含み、
ここで、B´ｉは、ｉ番目の検索空間の傍受情報の第１個数であり、Ｂｉは、ｉ番目の検索空間の傍受情報の初期個数であり、Ｐｉは、ｉ番目の検索空間の割り当て重みであり、Ｍは、端末によってサポートされる傍受情報の総数であり、ΣｉＢｉ−Ｍは、前記端末によってサポートされる傍受情報の総数よりも大きい傍受情報の第２個数であり、Σは、和関数であり、Ｃは、第１閾値であり、ｉは、検索空間の番号である、請求項３に記載の検索空間の傍受情報の決定方法。
【請求項１０】
前記の前記割り当て重みに基づいて、各検索空間の割り当て割合を決定することは、
2021513281.tif 000063
に基づいて、各検索空間の割り当て割合を取得することを含み、
ここで、Ｕｉは、ｉ番目の検索空間の割り当て割合であり、Ｐｉは、ｉ番目の検索空間の割り当て重みであり、ｉは、検索空間の番号である、請求項３に記載の検索空間の傍受情報の決定方法。
【請求項１１】
前記の前記割り当て割合及び前記端末によってサポートされる傍受情報の総数に基づいて、各検索空間の傍受情報の第１個数を決定することは、
2021513281.tif 000064
に基づいて、各検索空間の傍受情報の第１個数を取得することを含み、
ここで、B´ｉは、ｉ番目の検索空間の第１個数であり、Ｕｉは、ｉ番目の検索空間の割り当て割合であり、Ｍは、端末によってサポートされる傍受情報の総数であり、Σは、和関数であり、ｉは、検索空間の番号である、請求項３に記載の検索空間の傍受情報の決定方法。
【請求項１２】
検索空間の傍受情報の決定装置であって、
端末が少なくとも２つの検索空間を傍受し、且つ前記少なくとも２つの検索空間の傍受情報の初期個数の合計が前記端末によってサポートされる傍受情報の総数よりも大きい場合、前記少なくとも２つの検索空間のうちの各検索空間の傍受情報の第１個数を決定するための決定モジュールを含み、
ここで、前記少なくとも２つの検索空間のうちの各検索空間の傍受情報の第１個数の合計は、傍受情報の総数以下であり、
前記傍受情報は、物理下り制御チャネルＰＤＣＣＨ候補又はＰＤＣＣＨチャネル推定を含む、検索空間の傍受情報の決定装置。
【請求項１３】
前記決定モジュールは、
検索空間の優先度タイプ情報に基づいて、各検索空間の傍受情報の第１個数を決定するための第１決定サブモジュールと、
前記傍受情報の第２個数に基づいて、各検索空間の傍受情報の第１個数を決定するための第２決定サブモジュールと、
ここで、前記の第２個数は、少なくとも２つの検索空間のうちの各検索空間の傍受情報の初期個数の合計と前記端末によってサポートされる傍受情報の総数との差であり、
前記端末によってサポートされる傍受情報の総数に基づいて、各検索空間の傍受情報の第１個数を決定するための第３決定サブモジュールと、
のうちの少なくとも１つを含む、請求項１２に記載の検索空間の傍受情報の決定装置。
【請求項１４】
前記第３決定サブモジュールは、
所定設定パラメータに基づいて、各検索空間の割り当て重みを決定するための第２決定ユニットと、
前記割り当て重みに基づいて、各検索空間の割り当て割合を決定するための第３決定ユニットと、
前記割り当て割合及び前記端末によってサポートされる傍受情報の総数に基づいて、各検索空間の傍受情報の第１個数を決定するための第４決定ユニットとを含み、
または、
前記第２決定サブモジュールは、
所定設定パラメータに基づいて、各検索空間の割り当て重みを決定するための第１決定ユニットと、
前記傍受情報の第２個数及び前記割り当て重みとに基づいて、各検索空間の傍受情報の第１個数を取得するための第１取得ユニットとを含む、請求項１３に記載の検索空間の傍受情報の決定装置。
【請求項１５】
前記所定設定パラメータは、
検索空間の傍受周期、傍受情報の初期個数、検索空間の優先度、下り制御情報のフォーマット、下り制御情報の長さ、及び検索空間タイプのうちの少なくとも１つを含む、請求項１４に記載の検索空間の傍受情報の決定装置。
【国際調査報告】
2021513281.tif 000065
2021513281.tif 000066
2021513281.tif 000067
2021513281.tif 000068